(57)【要約】      （修正有）【課題】ソールの接地位置を安定化すると共に、重心位置を低くし、かつヘッド回転が生じにくくし、その結果、アドレスが定まり易く、打球時の方向性や打球位置を安定化させることが可能なゴルフクラブヘッド及び当該ゴルフクラブヘッドを備えるゴルフクラブを提供する。【解決手段】ゴルフクラブヘッド１２は、ホーゼルＨＺと、スコアラインが形成されたフェース１３と、凹部３０が形成されたソール１５と、を備え、前記凹部は、トウ側からヒール側方向に延伸するように形成されている。【選択図】図３
2019216907.tif 000002
【特許請求の範囲】
【請求項１】
ホーゼルと、
スコアラインが形成されたフェースと、
凹部が形成されたソールと、
を備え、
前記凹部は、トウ側からヒール側方向に延伸するように形成されていることを特徴とするゴルフクラブヘッド。
【請求項２】
前記ホーゼルの長さは、３５ｍｍから５５ｍｍであることを特徴とする請求項１に記載のゴルフクラブヘッド。
【請求項３】
前記ソールの幅は、３５ｍｍから５５ｍｍであることを特徴とする請求項１又は２に記載のゴルフクラブヘッド。
【請求項４】
前記凹部はフェース側壁部とバック側壁部とを有し、
これらが交わる領域における該凹部の高さは、０．５ｍｍ以上であることを特徴とする請求項１から３までのいずれか１項に記載のゴルフクラブヘッド。
【請求項５】
前記凹部は、トウ側からヒール側方向に垂直な方向に湾曲するように形成されていることを特徴とする請求項１から４までのいずれか１項に記載のゴルフクラブヘッド。
【請求項６】
前記凹部の幅は、１６ｍｍから２５ｍｍであることを特徴とする請求項１から５までのいずれか１項に記載のゴルフクラブヘッド。
【請求項７】
前記凹部のソール角は、１度から７度であることを特徴とする請求項１から６までのいずれか１項に記載のゴルフクラブヘッド。
【請求項８】
前記ソールのリーディングエッジ側のソール角は、１０度から２５度であることを特徴とする請求項１から７までのいずれか１項に記載のゴルフクラブヘッド。
【請求項９】
前記ソールのリーディングエッジ側のソール幅は、８ｍｍから１５ｍｍであることを特徴とする請求項１から８までのいずれか１項に記載のゴルフクラブヘッド。
【請求項１０】
前記ソールのトレーディングエッジ側のスクープ角は、５度から２０度であることを特徴とする請求項１から９までのいずれか１項に記載のゴルフクラブヘッド。
【請求項１１】
前記ソールのトレーディングエッジ側のソール幅は、８ｍｍから２０ｍｍであることを特徴とする請求項１から１０までのいずれか１項に記載のゴルフクラブヘッド。
【請求項１２】
ロフト角が５１度以上６４度以下であることを特徴とする請求項１から１１までのいずれか１項に記載のゴルフクラブヘッド。
【発明の詳細な説明】
【技術分野】
【０００１】
本発明は、ゴルフクラブヘッドに関し、より具体的には、ショットの際にハンドファーストの構えとなるように構成されたゴルフクラブヘッドに関する。本発明は、さらに具体的には、アプローチショットのためのウェッジからフルショットのためのアイアンクラブまで様々なクラブに適したゴルフクラブヘッドに関する。さらに、本発明は、当該ゴルフクラブヘッドを備えるゴルフクラブに関する。
【背景技術】
【０００２】
通常のアイアンクラブヘッドは、ヒール側のソール幅がトウ側のソール幅よりも小さくなるように構成されている。例えば、特許文献１では、打球時に、ヘッドのソール側の方が地面に食い込むと、トウ側により大きな抵抗力が作用するため、フェースが閉じる方向のヘッド回転が起こりやすくなることが開示されている。また、特許文献１では、フェースが閉じると、狙った方向よりも左側へしかも低い弾道でボールが弾き出されるため、フェースが閉じる方向へのヘッド回転が起こるとミスショットが発生しやすいことが開示されている。
【先行技術文献】
【特許文献】
【０００３】
【特許文献１】特開２００１−５８０１６号公報
【発明の概要】
【発明が解決しようとする課題】
【０００４】
しかしながら、特許文献１に係るゴルフクラブでは、ソールの接地位置が安定化しづらいために、アドレスが安定しないという問題があることが判っている。また、特許文献１に係るゴルフクラブでは、ヘッド回転が大きく、重心が高くなってしまうために、フェースが開閉したり、打球位置が一定となりにくいため、ショットの安定性が低くなってしまうという問題があった。
【０００５】
そこで、本発明は、ソールの接地位置を安定化すると共に、重心位置を低くし、かつヘッド回転が生じにくくし、その結果、アドレスが定まり易く、打球時の方向性や打球位置を安定化させることが可能なゴルフクラブヘッド及び当該ゴルフクラブヘッドを備えるゴルフクラブを提供することを目的とする。これ以外の目的については、本明細書全体から明らかになる。
【課題を解決するための手段】
【０００６】
本発明の一実施形態に係るゴルフクラブヘッドは、ホーゼルと、スコアラインが形成されたフェースと、凹部が形成されたソールと、を備え、前記凹部は、トウ側からヒール側方向に延伸するように形成されている。
【０００７】
本発明の一実施形態に係るゴルフクラブヘッドは、前記ホーゼルの長さは、３５ｍｍから５５ｍｍであるように構成される。
【０００８】
本発明の一実施形態に係るゴルフクラブヘッドは、前記ソールの幅は、３５ｍｍから５５ｍｍであるように構成される。
【０００９】
本発明の一実施形態に係るゴルフクラブヘッドは、前記凹部はフェース側壁部とバック側壁部とを有し、これらが交わる領域における該凹部の高さは、０．５ｍｍ以上であるように構成される。
【００１０】
本発明の一実施形態に係るゴルフクラブヘッドは、前記凹部が、トウ側からヒール側方向に垂直な方向に湾曲するように形成されている。
【００１１】
本発明の一実施形態に係るゴルフクラブヘッドは、前記凹部の幅が、１６ｍｍから２５ｍｍであるように構成される。
【００１２】
本発明の一実施形態に係るゴルフクラブヘッドは、前記凹部のソール角が、１度から７度であるように構成される。
【００１３】
本発明の一実施形態に係るゴルフクラブヘッドは、前記ソールのリーディングエッジ側のソール角が、１０度から２５度であるように構成される。
【００１４】
本発明の一実施形態に係るゴルフクラブヘッドは、前記ソールのリーディングエッジ側のソール幅が、８ｍｍから１５ｍｍであるように構成される。
【００１５】
本発明の一実施形態に係るゴルフクラブヘッドは、前記ソールのトレーディングエッジ側のスクープ角が、５度から２０度であるように構成される。
【００１６】
本発明の一実施形態に係るゴルフクラブヘッドは、前記ソールのトレーディングエッジ側のソール幅が、８ｍｍから２０ｍｍであるように構成される。
【００１７】
本発明の一実施形態に係るゴルフクラブヘッドは、ロフト角が５１度以上６４度以下であるように構成される。
【発明の効果】
【００１８】
以上のように、本発明の様々な実施の形態により、ソールの接地位置を安定化すると共に、重心位置を低くし、かつヘッド回転が生じにくくし、その結果、アドレスが定まり易く、打球時の方向性や打球位置を安定化させることが可能なゴルフクラブヘッド及び当該ゴルフクラブヘッドを備えるゴルフクラブを提供することができる。
【図面の簡単な説明】
【００１９】
【図１】本発明の一実施形態に係るゴルフクラブを示す正面図
【図２】本発明の一実施形態に係るゴルフクラブヘッドをフェース側から見た図
【図３】図２に示したゴルフクラブヘッドをトウ側から見た図
【図４】図２に示したゴルフクラブヘッドをソール側から見た図
【図５】本発明の一実施形態に係るゴルフクラブヘッドをフェース側から見た図
【発明を実施するための形態】
【００２０】
以下、様々な実施形態を適宜図面を参照して説明する。なお、図面において共通する構成要素には同一の参照符号が付されている。また、各図面は、便宜上、必ずしも同一の縮尺により示されているとは限らない。
【００２１】
図１は、本発明の一実施形態に係るゴルフクラブを概略的に示す正面図である。図１には、アイアンゴルフクラブが例示されている。図１に示すように、アイアンゴルフクラブ１０は、主に、グリップＧと、このグリップＧに結合したシャフトＳと、このシャフトＳにホーゼルＨＺを介して結合したゴルフクラブヘッド（以下単に「ヘッド」ということがある。）１２と、を含む。
【００２２】
図１のゴルフクラブ１０は標準接地状態で地面に置かれている。本明細書において、ヘッドの標準接地状態とは、ゴルフクラブ１０のシャフト軸中心線ＣＬ（又はホーゼルＨＺのシャフトＳを受ける筒状の部分の中心軸線）を水平面ＨＰから当該ヘッドに固有のライ角αだけ傾けるとともに、当該水平面ＨＰに対してフェースを当該ヘッドに固有のロフト角βだけ傾けるようにして、当該ヘッドを水平面ＨＰに接地させた状態をいう。本発明の一実施形態に係るゴルフクラブヘッドは、ロフト角が５１度以上６４度以下であるように構成されるが、これに限られない。
【００２３】
本発明の一実施形態に係るヘッドについて、図２ないし図５を参照してさらに説明する。図２ないし図５は、ヘッド１２の構造をわかりやすく示すために、実際の寸法を必ずしも正しく反映していない点に留意されたい。
【００２４】
図２及び図３に示すヘッド１２は、標準接地状態で水平面ＨＰに平行な地面に置かれている。つまり、ヘッド１２のシャフト軸の中心線ＣＬは、図２に示すように所定のライ角αだけ水平面ＨＰから傾いており、ヘッド１２のフェース１３は、図３に示すように所定のロフト角βだけ水平面ＨＰから傾いている。
【００２５】
図３に示すように、ヘッド１２は、ボールを打球するためのフェース１３と、フェース１３の上縁に連続するトップ１６と、フェース１３の下縁であるリーディングエッジ１９から背面側に延伸するソール１５と、ソール１５の後端であるトレーリングエッジ２０とトップ１６とを接続するバックフェース１４と、トップ１６とソール１５とを接続するトウ１７と、を備える。
【００２６】
本発明の一実施形態に係るヘッド１２は、ステンレス、チタン合金等の金属材料を鋳造又は鍛造して得られる。ヘッド１２は、単一の金属材料から製造されてもよく、複数の金属材料から製造されてもよい。また、ヘッド１２の表面には、ニッケル、クロム、亜鉛等の各種の金属材料から成るめっき層を形成してもよい。
【００２７】
ヘッド基材１２のフェース１３には、複数のフェースライン１８が形成される。複数のフェースライン１８の各々は、トウ・ヒール方向（図２の左右方向）に沿って伸びるように形成される。フェースラインの本数、深さ、幅などの各種仕様は、Ｒ＆Ａ  Ｒｕｌｅｓ  Ｌｉｍｉｔｅｄが定める「クラブと球についての規則ガイド」による規制の範囲内で任意に設定することができる。フェースライン１８は、フライス盤や彫刻機を用いてヘッド１２の基材の表面を彫刻することにより、または、フェースラインに対応する形状を有する凸部を備える刻印型を基材２２に押し付けることによって形成される。
【００２８】
本発明の一実施形態に係るゴルフクラブヘッド１２は、ホーゼルＨＺと、スコアライン１８が形成されたフェース１３と、凹部３０が形成されたソール１５と、を備え、前記凹部３０は、トウ側からヒール側方向に延伸するように形成されている。
【００２９】
このようにして、凹部を挟んだ２つのソール部分を備えることで、ソールの接地位置を安定化することができるため、アドレスが定まり易く、打球時の方向性や打球位置を安定化させることに資するゴルフクラブヘッド及び当該ゴルフクラブヘッドを備えるゴルフクラブを提供することが可能となる。
【００３０】
上述のように、ソール１５には、凹部３０が形成されている。後述する図４に示すように、凹部３０の両端部分を結んだ底線ＢＬが示されている。この底線ＢＬは、概ねフェース１３に沿ってトウ・ヒール方向に（つまり、スコアライン１８と平行な方向に）延伸しているが、図示のようにトウ・ヒール方向に垂直な方向に僅かに湾曲して形成することができる。このようにして、凹部３０を湾曲させることで、ソールのトウ・ヒール方向のＲが比較的小さなヘッドでも、凹部３０のリーディングエッジ側のソール幅、角度を十分確保することが可能となる。
【００３１】
本発明の一実施形態に係るゴルフクラブヘッド１２は、前記ホーゼルの長さＸは、３５ｍｍから５５ｍｍであるように構成される。ここで、ホーゼルの長さＸとは、図３に示すように、ホーゼル端部からシャフト軸中心がソール側へ抜ける位置までの長さをいうものとする。ホーゼルの長さＸが長い場合、それに伴い重心高さが高くなり、フェース面からの重心深さも浅くなり易いため、ホーゼルの長さＸは短ければ短いほど本発明の一実施形態に係るゴルフクラブヘッド１２には適しているということができる。しかしながら、シャフトの接着強度や、打球の際誤ってホーゼルで打球してしまった際の、シャフトの破損に対する強度等を考慮した場合に、ホーゼルの長さＸを上記範囲とすることが最も有効となることが判った。
【００３２】
このようにして、ヘッドの重心位置を低くすることができるため、打球時の打球位置を安定化させることが可能なゴルフクラブヘッド及び当該ゴルフクラブヘッドを備えるゴルフクラブを提供することができる。
【００３３】
本発明の一実施形態に係るゴルフクラブヘッド１２は、前記ソールの幅ａは、３５ｍｍから５５ｍｍであるように構成される。これにより、ヘッドの重心を十分に低くすると共に、フェース面からの重心深さを深くすることに資する。また、本発明の一実施形態に係るゴルフクラブヘッド１２は、前記凹部３０がフェース側壁部３０ａとバック側壁部３０ｂとを有し、これらが交わる領域における該凹部の高さＹは、０．５ｍｍ以上であるように構成される。当該凹部の高さＹを０．５ｍｍ以上とすることにより、たとえば、特にライが悪い場合においてもソールの座りが安定しづらくなる状況を回避することに資する。
【００３４】
このようにして、凹部を挟んだ２つのソール部分を備えることで、ソールの接地位置を安定化することができるため、アドレスが定まり易く、打球時の方向性や打球位置を安定化させることに資するゴルフクラブヘッド及び当該ゴルフクラブヘッドを備えるゴルフクラブを提供することが可能となる。
【００３５】
本発明の一実施形態に係るゴルフクラブヘッド１２は、前記凹部３０の幅ｂが、１６ｍｍから２５ｍｍであるように構成される。これにより、ソール１５が安定して接地することができ、アドレス時の姿勢の安定性が向上する。また、ラウンドしているソールや平なソールに比べ、ソールラウンドが邪魔しなかったり、ソールの凹周りが芝に沈み込み易い為、ボールに対し低い位置でアドレス出来る。その為、実際の重心位置はより低く機能することが可能となる。本発明の一実施形態に係るゴルフクラブヘッド１２は、前記凹部３０のソール角γが、１度から７度であるように構成される。これにより、アドレス時の収まりがよくなることが判明した。一方で、当該ソール角γが７度を超えると、１グリップ以上のハンドファーストとなる構えが不自然となってしまうことが判明した。上記構成により、当該凹部３０のソール角が、上記範囲内の角度であることにより、フェースを目標に合わせた際、適度なアドレス時のハンドファーストの構えができ、また、アプローチだけでなく、フルショットの際でも、スムーズにスイング可能な角度を作ることができると同時に、ソール角γによる跳ね上げ過ぎを防止することも可能となる。
【００３６】
本発明の一実施形態に係るゴルフクラブヘッド１２は、前記ソール１５のリーディングエッジ１９側のソール角δが、１０度から２５度であるように構成される。ここで、ソール角γにより設定されたアドレス時のハンドファーストの構えにより、従来よりもダウンブローの軌道で容易に打ち易くなるため、十分な角度が必要となる。しかし２５度以上となると、トップや跳ね上がりの恐れがある。本発明の一実施形態に係るゴルフクラブヘッド１２は、前記ソール１５のリーディングエッジ１９側のソール幅ｃが、８ｍｍから１５ｍｍであるように構成される。これにより、打球時の跳ね上がりを小さくできるため、ダフリ防止効果を向上させることが可能となる。より具体的には、リーディングエッジ側のソール角を設けても、８ｍｍ未満では、ダフり気味で打球した際にリーディングエッジが刺さってしまう恐れがあり、他方で、１５ｍｍ以上ではボールの下にリーディングエッジが入りづらい場合があり、また、ダフり気味で打球した際跳ね上がり過ぎる恐れがあるため、ソール幅ｃを上記範囲とすることで上記有利な効果があることが判った。
【００３７】
本発明の一実施形態に係るゴルフクラブヘッド１２は、前記ソール１５のトレーディングエッジ２０側のスクープ角εが、５度から２０度であるように構成される。当該スクープ角は、スイングの妨げにならず、重心に悪影響を与えない程度の範囲とすることができる。より具体的には、当該角度が５度未満だと、重心を深く、また下げる効果があっても、打球時のソール後方の突っ掛かりが発生したりしてしまう。他方、当該角度が２０度より大きくなるとトレーディングエッジ側のソール幅が狭い範囲ではよいが、広くなってくると重心が高くなってしまい、本来の目的にそぐわなくなってしまうため、当該角度を上記範囲とすることで上記有利な効果があることが判った。本発明の一実施形態に係るゴルフクラブヘッド１２は、前記ソール１５のトレーディングエッジ２０側のソール幅ｄが、８ｍｍから２０ｍｍであるように構成される。当該ソール幅についても上記スクープ角と同様の技術的効果を奏することができる。
【００３８】
本発明の一実施形態において、凹部３０は、底線ＢＬよりもフェース１３側にあるフェース側壁部３０ａと、底線ＢＬよりもバックフェース１４側にあるバック側壁部３０ｂとを有する。一実施形態においては、フェース側壁部３０ａ及びバック側壁部３０ｂとソール１５の凹部以外の部分とはなだらかな曲面で接続されるため、凹部３０の輪郭３０ｃは明瞭に視認できないこともあるが、図４では、説明の便宜上、輪郭３０ｃを実線で示している。
【００３９】
本発明の一実施形態において、凹部３０は、フェース側壁部３０ａとソール１５との境界（輪郭３０ｃのうち底線ＢＬよりもフェース１３側の部分）がフェース１３側に凸に湾曲するように構成されてもよいが、これに限られない。また、本発明の一実施形態において、凹部３０は、バック側壁３０ｂとソール１５との境界（輪郭３０ｃのうち底線ＢＬよりもバックフェース１４側の部分）は、フェース側壁部３０ａとソール１５との境界よりも直線に近い形状になるように構成されてもよいが、これに限られない。
【００４０】
図４に示すように、輪郭３０ｃのうち、トウ１７側をトウ側端部３０ｅとし、ヒール側をヒール側端部３０ｄとする。本発明の一実施形態において、凹部３０は、ソール１５に沿ってトウ・ヒール方向に（つまり、スコアライン１８と平行な方向に）延伸しているが、そのトウ側端部３０ｅからヒール側端部３０ｄまでの範囲は、少なくともスコアラインの長さ以上であるように構成される。これにより、コースでのつま先上がりや、つま先下がりといった傾斜地でも、スコアラインの幅の範囲では極力ソールの座りを良くすることが可能となる。また、凹部３０のトウ側端部３０ｅからヒール側端部３０ｄまでの範囲は、ソール１５からトウ１７へ繋がる位置で曲率が最も大きいところから、ソール１５からヒールへ繋がる位置で曲率が最も大きいところまでとすることができる。このように、ソールのトウ・ヒールへの曲率の最も大きい所を超えてトウ・ヒールへ凹部３０を設けても、その範囲でアドレス時にソールが接地することがないため、範囲をこのような合理的な範囲に設定することができる。
【００４１】
ここで、図２に示すように、フェース１３には複数のスコアライン１８が形成されるが、一実施形態において、「スコアラインの長さ方向」とは、当該複数のスコアライン１８のうち最も長いスコアライン１８の長さ方向（トウ・ヒール方向）を意味する。また、図２に示す実施形態では、フェース１３に１３本のスコアライン１８が形成されており、そのうちソール１５に近い５本のフェースライン１８が最も長い長さを有しているので、一実施形態における「スコアラインの長さ」は、この最も長いフェースラインの長さを意味する。
【００４２】
本明細書におけるスコアラインの長さは、複数のスコアライン１８のうち最も長いものの長さには限定されない。例えば、異なる長さを有する複数のスコアライン１８のうち、トウ・ヒール方向の長さの中央値を有するスコアライン１８に着目し、当該長さの中央値を有するスコアライン１８の長さを「スコアラインの長さ」としてもよい。例えば、図２の例では、フェース１３に１３本のスコアライン１８が形成されているので、７番目に長いスコアライン（つまり、図２において上から７番目のスコアライン）１８に着目し、当該スコアラインの長さを「スコアラインの長さ」とすることができる。
【００４３】
本発明の一実施形態に係るゴルフクラブヘッド１２は、ホーゼルＨＺと、スコアライン１８が形成されたフェース１３と、凹部３０が形成されたソール１５と、を備え、前記凹部３０は、トウ側からヒール側方向に延伸するように形成され、前記ソール１５の幅は、３５ｍｍから５５ｍｍであるように構成され、前記ホーゼルＨＺの長さは、３５ｍｍから５５ｍｍであるように構成される。
【００４４】
このようにして、ソールの接地位置を安定化すると共に、重心位置を低くし、かつヘッド回転が生じにくくし、その結果、アドレスが定まり易く、打球時の方向性や打球位置を安定化させることが可能なゴルフクラブヘッド及び当該ゴルフクラブヘッドを備えるゴルフクラブを提供することができる。
【００４５】
フェース１３面からの重心深さは、３．０ｍｍ以上とすることができる。例えば、５２度のウェッジでは、重心深さを４．９ｍｍとすることができる。この点、一般のウェッジでは、ロフトの大きさやホーゼルの位置の関係から、重心が浅くなりやすいが、打球時にロフトが立つ動きが大きくなり易く、ボールが上がりづらくなってしまう。これに対して、重心が深いウェッジであると、ロフトが立つ動きはあるものの、リーディングエッジがボールの下方向に入り込む動きを促し易いため、打球時のミート率の向上に繋がることが判明した。
【００４６】
重心距離、シャフト軸回りの慣性モーメントは、ゴルフクラブヘッド１２の開閉を極力少なくしたいため、好ましくは、重心距離で４３ｍｍ以上、慣性モーメントで８０００ｇ・ｃｍ2とすることができる。また、好ましくは、ゴルフクラブヘッド１２をターンさせる動きを極力少なくするため、重心アングルを２０度以上とすることがより望ましい。
【００４７】
次に、図５及び表１を参照して、ゴルフクラブヘッド１２のフェース１３の輪郭形状寸法について説明する。図４に示すフェース１３の外側輪郭の寸法（トウ側ライン端部における長さ）をＺ（ｍｍ）とし、フェース１３の内側輪郭の寸法（ヒール側ライン端部における長さ）をＷ（ｍｍ）とすると、下記表１のように、従来例と比して、本実施形態ではいずれも外側寸法Ｚが６４ｍｍ以上、内側寸法Ｗが４４ｍｍ以上となり、比率Ｚ／Ｗは１４３．５％以上、１５０％以下となった。このような寸法及び比率を備えることで、アプローチからフルショットまで方向性が良く、ストロークが安定することが判った。
【００４８】
【表１】
2019216907.tif 000003
【００４９】
上記結果も含め、本発明の一実施形態では、図示のフェース１３の輪郭形状の外側寸法Ｚ、内側寸法Ｗの比率（比率Ｚ／Ｗ）は、１２０％から１５０％とすることができる。その場合、フェース１３のトウ側高さを６０ｍｍ以上と、フェース１３のヒール側高さを４２ｍｍ以上とすることができる。（これにより、フェース寸法を十分確保することで、ソール幅を広げた場合や、凹部の幅を広げた際でも、アドレス時に、ソールが見えることがないため、構え易さを損なうことを防止することが可能となる。上記比率は大きくなり過ぎると、トップラインの傾斜が強くなり、スイング時のフェース１３の開閉がし易くなり、ストロークが安定せず、他方で、上記比率が小さくなり過ぎると、ライ角がフラットとなるように感じるため、アプローチだけでなく、フルショットを想定した場合にストロークが安定しない。
【００５０】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。例えば、図示した実施例においては、凹部３０はソール１５に１つのみ形成されているが、凹部３０と同様に形成される複数の凹部をソール１５に設けてもよい。この場合、当該複数の凹部は、図示した凹部３０の表面面積よりも小さい表面面積を有し、図示した実施形態において凹部３０が配置されている領域の内部に配置される。
【符号の説明】
【００５１】
１０  ゴルフクラブ
１２  ゴルフクラブヘッド
１３  フェース
１４  バックフェース
１５  ソール
１６  トップ
１７  トウ
１８  フェースライン
１９  リーディングエッジ
２０  トレーリングエッジ
３０  凹部
３０ａ  フェース側壁部
３０ｂ  バックフェース側壁部
３０ｄ  ヒール側端部
３０ｅ  トウ側端部
【図１】
2019216907.tif 000004
【図２】
2019216907.tif 000005
【図３】
2019216907.tif 000006
【図４】
2019216907.tif 000007
【図５】
2019216907.tif 000008